(57)【要約】【課題】        前記特定方向排出用紙に片面記録または両面記録する際に用紙の表裏・前後を入れ替える面倒な作業を防止しつつ、画像形成装置の生産性を向上させること。【解決手段】    特定の側端を用紙搬送方向前端にして前記排紙トレイに排出される特定方向排出用紙の片面にのみ画像を記録する場合に、給紙された特定方向排出用紙を両面搬送形式で搬送するように用紙搬送装置（３）を制御する用紙搬送制御手段（Ｃ３Ａ）と、前記特定方向排出用紙の片面にのみ画像を記録する場合に、用紙反転路を経て前記画像記録領域に再送された特定方向排出用紙に画像を記録するように画像記録装置（２）を制御する画像記録制御手段（Ｃ３Ｃ）と、を備えたことを特徴とする画像形成装置（ＰＲ）。【選択図】    図２
2005164711.tif 000002
【特許請求の範囲】
【請求項１】
画像記録用の用紙を収容する用紙トレイを有し、前記用紙を用紙搬送装置に給紙する給紙装置と、
前記給紙装置から給紙された前記用紙を、画像記録領域および排紙トレイに順次搬送する標準用紙搬送路と、前記画像記録領域を通過した用紙を反転させて前記画像記録領域に再送する用紙反転路と、前記標準用紙搬送路および用紙反転路において前記用紙を搬送する用紙搬送部材とを有する前記用紙搬送装置と、
前記画像記録領域を通過する前記用紙に、画像を記録する画像記録装置と、
給紙された用紙を搬送して前記画像記録領域を通過させ、前記画像記録領域を通過した用紙を前記用紙反転路を経て前記画像記録領域に再送して前記画像記録領域を再度通過させ、前記排紙トレイに排出する両面搬送形式と、給紙された用紙を搬送して前記画像記録領域を通過させ、直接前記排紙トレイに排出する片面搬送形式とを有し、前記いずれかの搬送形式で前記用紙を搬送するように前記用紙搬送装置の動作を制御する用紙搬送制御手段と、
前記用紙の両面に画像の記録を行う両面記録を実行する際に、前記用紙の一面目に裏面の画像を記録し、前記用紙反転路に搬送されて表裏が反転した前記用紙の二面目に表面の画像を記録するように前記画像記録装置を制御する画像記録制御手段と、
特定の側端が用紙搬送方向前端となる状態で前記排紙トレイに排出される特定方向排出用紙を収容する前記用紙トレイと、
前記特定方向排出用紙の片面にのみ画像を記録する場合に、給紙された前記特定方向排出用紙を前記両面搬送形式で搬送するように前記用紙搬送装置を制御する前記用紙搬送制御手段と、
前記特定方向排出用紙の片面にのみ画像を記録する場合に、前記用紙反転路を経て前記画像記録領域に再送された前記特定方向排出用紙に画像を記録するように前記画像記録装置を制御する前記画像記録制御手段と、
を備えたことを特徴とする画像形成装置。
【請求項２】
前記画像記録装置によって画像が記録された画像記録面が下面になる状態で前記用紙が排出される前記排紙トレイ、
を備えたことを特徴とする請求項１記載の画像形成装置。
【請求項３】
給紙を行う前記用紙トレイが指定されているか否かを判別するトレイ指定判別手段と、
前記用紙トレイに収容されている用紙種類を記憶するトレイ収容用紙種類記憶手段と、
給紙を行う前記用紙トレイが指定されると共に、前記特定方向排出用紙の片面にのみ画像を記録する場合に、前記用紙トレイに収容されている用紙種類に関わらず、指定された前記用紙トレイから給紙を行う前記給紙装置と、
を備えたことを特徴とする請求項１または２記載の画像形成装置。
【請求項４】
前記排紙トレイの近傍に配置され、前記標準用紙搬送路から前記排紙トレイに排出される前記用紙を検出する排出用紙センサと、
前記特定方向排出用紙の片面にのみ画像を記録する場合に、給紙された用紙を搬送して前記画像記録領域を通過する際には画像記録を実行せず、前記画像記録領域を通過した用紙を前記用紙反転路を経て前記画像記録領域に再送して前記画像記録領域を再度通過する際に前記特定方向排出用紙に画像を記録するように前記画像記録装置を制御する前記画像記録制御手段と、
前記用紙の用紙搬送方向前部を前記排紙トレイ内に搬送した後で、前記用紙を前記用紙反転路に搬送する前記用紙搬送装置と、
前記排出用紙センサの用紙検出信号に応じて、画像記録枚数をカウントする記録枚数カウンタであって、前記特定方向排出用紙の片面にのみ画像を記録する場合に、前記特定方向排出用紙が前記用紙反転路に搬送される際に前記排出用紙センサに検出されても、画像記録枚数のカウントを実行しない前記記録枚数カウンタと、
を備えたことを特徴とする請求項１ないし３のいずれか記載の画像形成装置。
【発明の詳細な説明】
【技術分野】
【０００１】
本発明は、プリンタ、複写機、ＦＡＸや複合機等の用紙を搬送して画像を記録する画像形成装置に関し、特に、前もってパンチ孔が形成されたプレパンチ紙や、罫線や項目記載欄等の画像が予め形成されたプレプリント紙、レターヘッド紙等の用紙の特定の側端を用紙搬送方向前端として搬送、画像記録、排紙を行う特定方向排出用紙に画像を記録可能な画像形成装置に関する。
本発明の画像形成装置は、電子写真方式またはインクジェット方式のプリンタ、複写機、複合機に好適に適用可能である。
【背景技術】
【０００２】
従来のプリンタ、複写機等の画像形成装置において、画像記録面が下面となる状態で排出される排紙トレイ（所謂、フェイスダウントレイ）を備えた画像形成装置が知られている。前記フェイスダウントレイに、用紙を両面記録して排出する場合、一面目に表面画像（１ページ目の画像）を記録して、表裏反転した用紙の二面目に裏面画像（２ページ目の画像）を記録すると、１ページ目の画像が上面側、２ページ目の画像が下面側になる状態で排出される。続けて３ページ目と４ページ目の画像を記録すると、排紙トレイに排出された用紙は、４ページ目が下面、３ページ目が上面となり、排紙された用紙束のページ順が下面側から、２ページ、１ページ、４ページ、３ページとなり、ページ順が揃わない。
【０００３】
したがって、従来フェイスダウントレイを備えた画像形成装置では、両面記録時には、先ず、一面目に裏面画像（２ページ目の画像）を記録した後、二面目に表面画像（１ページ目の画像）を記録していた（特許文献１の段落番号「００２２」参照）。この場合、排紙された用紙は、下面側が１ページ目の画像となるので、用紙束のページ順が、下面側から１ページ、２ページ、３ページ、４ページ、…となり、ページ順が揃う。
一方、前記従来のフェイスダウントレイを備えた画像形成装置では、片面画像を印刷する際には、前記ページ順がずれる心配がないので、画像記録速度（生産性）を向上させるために、一面目に表面画像を記録している。
【０００４】
前記従来のフェイスダウントレイを備えた画像形成装置では、両面記録時に画像の記録順序が変更されると共に、用紙の表裏を反転させる際に、用紙搬送方向の前端・後端が入れ替わってしまう。ところで、前記画像形成装置では、前もってパンチ孔が形成された用紙（プレパンチ紙）や、既に画像が記録された用紙（プレプリント紙）、宛名欄等が設けられたレターヘッド紙、項目欄等が設けられたラベル紙等の表裏や上下左右の方向が予め決まっている用紙（本明細書及び特許請求の範囲では、このような用紙のことを、特定の側端が前端として排出される特定方向排出用紙と記載する）に画像を記録する場合がある。
【０００５】
前記特定方向排出用紙に片面記録する場合には、一面目に表面画像が記録されるので、特に問題は発生しない。しかし、両面記録時には裏面画像から印刷されるため、片面記録時に表面画像（片面画像）が記録される面に裏面画像を記録すると、プレパンチ紙の場合にパンチ孔の位置が左右逆になるという問題が発生する。また、プレプリント紙の場合には、プレプリント紙の表面に裏面画像が記録される問題が発生し、ユーザが期待した出力結果が得られないという問題が発生する。
【０００６】
したがって、両面記録時に裏面画像が先に印刷される場合には、従来、ユーザが用紙トレイに収容された用紙の表裏や用紙搬送方向に対する前後の向きを入れ替える作業が必要となり、作業が面倒であった。
また、片面記録時には用紙搬送方向が入れ替わらず、両面記録時には用紙搬送方向が入れ替わるので、両面記録のページと、片面記録のページが混在する場合には、排紙トレイに積載された用紙束のパンチ孔の位置や用紙の表裏が揃わない。したがって、片面・両面記録混在時には、排紙トレイに積載された用紙束のパンチ孔の位置や表裏をユーザが揃え直す必要があり、面倒であるという問題もあった。
これらの問題を解決するために、両面記録時に裏面の画像から記録する画像形成装置において、下記の特許文献１記載の技術が従来公知である。
【０００７】
（特許文献１（特開２００３−５０４８２号公報）記載の技術）
特許文献１には、片面記録時に特定方向排出用紙の表面に表面画像を記録する画像形成装置において、両面記録時に前記特定方向排出用紙を使用する場合には、給紙直後に用紙の表面が画像記録領域を通過する際に画像記録を禁止し、表裏反転後の用紙の裏面に裏面画像を記録し、さらに表裏反転させて、用紙の表面に表面画像を記録する技術が記載されている。
【０００８】
【特許文献１】特開２００３−５０４８２号公報（段落番号「００２２」「００５１」〜「００６０」、第１図、第９図）
【発明の開示】
【発明が解決しようとする課題】
【０００９】
しかしながら、前記特許文献１記載の技術では、両面記録時に特定方向排出用紙が２回用紙反転路を通過し、画像が記録される画像記録領域を３回通過する。したがって、用紙反転路を１回、画像記録領域を２回通過して両面記録を行う従来技術よりも用紙反転路及び画像記録領域を１回多く通過する。この結果、両面記録に時間がかかり、生産性が低下するという問題がある。また、定着装置を３回通過するので、定着装置の熱による用紙の伸縮が、従来に比べ大きくなるという問題もある。
【００１０】
次に、図１０を用いて、両面記録と片面記録とが混在する画像記録作業（ジョブ）を実行する場合における特許文献１記載の技術の問題点を説明する。理解を容易にするために、１枚目に両面記録、２枚目に片面記録、３枚目に両面記録を行う場合を例に挙げて説明する。
【００１１】
図１０は特許文献１記載の技術で両面記録及び片面記録が混在する場合に用紙搬送路を搬送される用紙の状態の説明図であり、図１０Ａは両面記録される１枚目の用紙が給紙された状態の説明図、図１０Ｂは１枚目の用紙が排紙ロールにより搬送される状態の説明図、図１０Ｃは１枚目の用紙が用紙反転路に搬送される状態の説明図、図１０Ｄは１枚目の用紙が用紙反転路を通過してレジロールに搬送される状態の説明図、図１０Ｅは１枚目の用紙の一面目に裏面画像が記録された状態の説明図、図１０Ｆは一面目に画像が記録された１枚目の用紙が用紙反転路に搬送される状態の説明図、図１０Ｇは一面目に画像が記録された１枚目の用紙がレジロールに搬送される状態の説明図、図１０Ｈは１枚目の用紙の二面目に表面画像が記録され且つ片面記録される２枚目の用紙が給紙された状態の説明図、図１０Ｉは２枚目の用紙に表面画像が記録され且つ両面記録される３枚目の用紙が給紙された状態の説明図である。
図１１は図１０の続きの説明図であり、図１１Ａは３枚目の用紙が排紙ロールにより搬送される状態の説明図、図１１Ｂは３枚目の用紙が用紙反転路に搬送される状態の説明図、図１１Ｃは３枚目の用紙がレジロールに搬送される状態の説明図、図１１Ｄは３枚目の用紙の一面目に裏面画像が記録された状態の説明図、図１１Ｅは一面目に画像が記録された３枚目の用紙が用紙反転路に搬送される状態の説明図、図１１Ｆは一面目に画像が記録された３枚目の用紙がレジロールに搬送される状態の説明図、図１１Ｇは３枚目の用紙の二面目に表面画像が記録された状態の説明図である。
【００１２】
図１０において、ジョブが開始されると、両面に画像が記録される１枚目の用紙Ｓ１が給紙ロール０１により給紙され（図１０Ａの状態）、レジロール０２でタイミングが調節されて画像記録領域（転写領域）０３に搬送される。特許文献１記載の技術では、両面記録が実行される場合には最初に画像記録領域を通過する際には用紙Ｓ１に画像が記録されない。そして、画像が記録されなかった用紙は定着装置０４を通過して、排紙ロール０６に搬送される（図１０Ｂの状態）。そして、用紙Ｓ１の搬送方向後端部が排紙ロール０６に差し掛かると、排紙ロール０６が逆回転駆動して、用紙Ｓ１がスイッチバックして用紙反転路に搬送される（図１０Ｃの状態）。
【００１３】
反転路搬送ロール０７により用紙反転路を搬送された用紙Ｓ１はレジロール０２により画像記録領域（転写領域）０３に搬送するタイミングが調節される（図１０Ｄの状態）。帯電ロール０８により表面が一様に帯電される感光体ドラム０９の表面には、潜像形成装置０１１により静電潜像が形成され、現像器０１２により静電潜像がトナー像に現像される。そして、感光体ドラム０９の表面に形成されたトナー像は、転写ロール０１３との間の画像記録領域０３で用紙Ｓ１に転写される。特許文献１記載の技術では、このとき用紙Ｓ１に裏面画像が転写される。そして、用紙Ｓ１に転写されたトナー像（裏面画像）は、定着装置０４で加熱定着され、排紙ロール０６に搬送される（図１０Ｅの状態）。なお、図１０Ｅ〜図１１Ｇにおいて、理解の容易のために、用紙Ｓ１〜Ｓ３に記録されたトナー像を黒点で表している。一面目に裏面画像が記録された１枚目の用紙Ｓ１は用紙反転路を通過した後（図１０Ｆ、図１０Ｇの状態）、二面目に表面画像が記録され、排出される（図１０Ｈ参照）。１枚目の用紙Ｓ１に表面画像が記録されるときに、片面記録される２枚目の用紙Ｓ２が給紙される。
【００１４】
給紙された２枚目の用紙Ｓ２の片面には、表面画像が記録され、排出される（図１０Ｉ参照）。このとき、両面記録がされる３枚目の用紙Ｓ３が給紙される（図１０Ｉ参照）。この後、３枚の用紙Ｓ３は、前記図１０Ｂ〜図１０Ｈと同様にして、画像記録が行われない状態で画像記録領域０３を通過し（図１１Ａの状態）、用紙反転路を搬送され（図１１Ｂ，図１１Ｃの状態）、１面目に裏面画像が記録された後（図１１Ｄ参照）、用紙反転路をもう一度搬送され（図１１Ｅ、図１１Ｆ参照）、二面目に表面画像が記録されて排出される（図１１Ｇ参照）。
【００１５】
図１０、図１１に示すように、両面記録される用紙Ｓ１，Ｓ３の間に、片面記録される用紙Ｓ２が存在する場合、図１０Ｂや図１０Ｅに示す状態で２枚目の用紙Ｓ２を給紙すると、２枚目の用紙Ｓ２が排出された後に１枚目の用紙Ｓ１が排出され、用紙の順序が揃わない。したがって、排出される用紙Ｓ１〜Ｓ３の順序を揃えるためには、１枚目の用紙Ｓ１の画像記録が終わってから２枚目の用紙Ｓ２の給紙を開始する必要がある（図１０Ｈ参照）。即ち、特許文献１記載の技術では、片面記録と両面記録が混在するジョブを実行する場合には、用紙搬送経路内に同時に複数枚（２枚以上）の用紙を搬送することができない。その上、特許文献１記載の技術では、前述のように、両面記録時に用紙反転路及び画像記録領域を１回多く通過するため生産性が低下する（図１０Ａ〜図１０Ｄ及び図１１Ａ〜図１１Ｃ参照）。この結果、特許文献１記載の技術では、片面・両面記録混在時には、生産性が大きく低下するという問題がある。
【００１６】
本発明は、前述の事情に鑑み、前記特定方向排出用紙に片面記録または両面記録する際に用紙の表裏・前後を入れ替える面倒な作業を防止しつつ、両面記録時または片面・両面記録混在時の画像形成装置の生産性を向上させることを第１の技術的課題とする。
【課題を解決するための手段】
【００１７】
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１８】
（本発明）
前記技術的課題を解決するために本発明の画像形成装置（ＰＲ）は、
画像記録用の用紙を収容する用紙トレイ（ＹＴ１，ＹＴ２）を有し、前記用紙を用紙搬送装置（３）に給紙する給紙装置（１）と、
前記給紙装置（１）から給紙された前記用紙を、画像記録領域（Ｑ）および排紙トレイ（Ｈｔ）に順次搬送する標準用紙搬送路と、前記画像記録領域（Ｑ）を通過した用紙を反転させて前記画像記録領域（Ｑ）に再送する用紙反転路（Ｈ３）と、前記標準用紙搬送路および用紙反転路（Ｈ３）において前記用紙を搬送する用紙搬送部材（Ｒ１，Ｒ２，Ｒ３，Ｒ４）とを有する前記用紙搬送装置（３）と、
前記画像記録領域（Ｑ）を通過する前記用紙に、画像を記録する画像記録装置（２）と、
給紙された用紙を搬送して前記画像記録領域（Ｑ）を通過させ、前記画像記録領域（Ｑ）を通過した用紙を前記用紙反転路（Ｈ３）を経て前記画像記録領域（Ｑ）に再送して前記画像記録領域（Ｑ）を再度通過させ、前記排紙トレイ（Ｈｔ）に排出する両面搬送形式と、給紙された用紙を搬送して前記画像記録領域（Ｑ）を通過させ、直接前記排紙トレイ（Ｈｔ）に排出する片面搬送形式とを有し、前記いずれかの搬送形式で前記用紙を搬送するように前記用紙搬送装置（３）の動作を制御する用紙搬送制御手段（Ｃ３Ａ）と、
前記用紙の両面に画像の記録を行う両面記録を実行する際に、前記用紙の一面目に裏面の画像を記録し、前記用紙反転路（Ｈ３）に搬送されて表裏が反転した前記用紙の二面目に表面の画像を記録するように前記画像記録装置（２）を制御する画像記録制御手段（Ｃ３Ｃ）と、
特定の側端が用紙搬送方向前端となる状態で前記排紙トレイ（Ｈｔ）に排出される特定方向排出用紙を収容する前記用紙トレイ（ＹＴ１，ＹＴ２）と、
前記特定方向排出用紙の片面にのみ画像を記録する場合に、給紙された前記特定方向排出用紙を前記両面搬送形式で搬送するように前記用紙搬送装置（３）を制御する前記用紙搬送制御手段（Ｃ３Ａ）と、
前記特定方向排出用紙の片面にのみ画像を記録する場合に、前記用紙反転路（Ｈ３）を経て前記画像記録領域（Ｑ）に再送された前記特定方向排出用紙に画像を記録するように前記画像記録装置（２）を制御する前記画像記録制御手段（Ｃ３Ｃ）と、
を備えたことを特徴とする。
【００１９】
（本発明の作用）
前記構成要件を備えた本発明の画像形成装置（ＰＲ）では、画像記録制御手段（Ｃ３Ｃ）は、前記用紙の両面に画像の記録を行う両面記録を実行する際に、前記用紙の一面目に裏面の画像を記録し、前記用紙反転路（Ｈ３）に搬送されて表裏が反転した前記用紙の二面目に表面の画像を記録するように前記画像記録装置（２）を制御する。画像記録用の用紙を収容する用紙トレイ（ＹＴ１，ＹＴ２）には、特定の側端を用紙搬送方向前端にして前記排紙トレイ（Ｈｔ）に排出される特定方向排出用紙が収容されている。用紙搬送制御手段（Ｃ３Ａ）は、前記特定方向排出用紙の片面にのみ画像を記録する場合に、給紙された前記特定方向排出用紙を前記両面搬送形式で搬送するように前記用紙搬送装置（３）を制御する。そして、画像記録制御手段（Ｃ３Ｃ）は、前記特定方向排出用紙の片面にのみ画像を記録する場合に、前記用紙反転路（Ｈ３）を経て前記画像記録領域（Ｑ）に再送された前記特定方向排出用紙に画像を記録するように画像記録装置（２）を制御する。
【００２０】
したがって、本発明の画像形成装置（ＰＲ）では、特定方向排出用紙に両面記録する場合、画像記録領域（Ｑ）に搬送される一面目に裏面の画像が記録され、用紙反転路（Ｈ３）で表裏が反転した二面目に表面の画像が記録される。そして、特定方向排出用紙に片面のみ画像を記録する場合には、用紙反転路（Ｈ３）で表裏反転され、表面の画像が記録されるべき二面目が画像記録領域（Ｑ）に搬送された時に、片面記録用の画像（表面の画像）が記録される。したがって、片面記録時に特定方向排出用紙の裏面の画像を記録すべき面に、表面の画像を記録することが防止される。
【００２１】
この結果、本発明の画像形成装置（ＰＲ）は、特定方向排出用紙に片面記録する場合及び両面記録する場合に、ユーザが用紙の表裏・前後を入れ替える必要がない。したがって、ユーザにとって面倒な作業である用紙の入れ替え作業を省略できる。
そして、本発明の画像形成装置（ＰＲ）では、特定方向排出用紙に両面記録をする場合に、通常の両面記録と同様の画像記録速度で記録できるので、両面記録時の生産性の低下することを防止できる。また、特定方向排出用紙が指定され且つ片面・両面記録混在時には、全ての用紙が両面搬送形式で搬送されるので、用紙が搬送される搬送経路内に複数の特定方向排出用紙を搬送するように構成した場合、従来技術と比較して生産性を向上させることができる。なお、特定方向排出用紙の片面にのみ画像記録を行う際に、画像記録領域（Ｑ）に再送されるまでの間の用紙搬送速度を通常より速くした場合、特定方向排出用紙の生産性の低下も少なくすることができる。
【００２２】
（本発明の形態１）
本発明の形態１の画像形成装置（ＰＲ）は、前記本発明の画像形成装置（ＰＲ）において、
前記画像記録装置（２）によって画像が記録された画像記録面が下面になる状態で前記用紙が排出される前記排紙トレイ（Ｈｔ）、
を備えたことを特徴とする。
【００２３】
（本発明の形態１の作用）
前記構成要件を備えた本発明の形態１の画像形成装置（ＰＲ）では、前記排紙トレイ（Ｈｔ）には、前記画像記録装置（２）によって画像が記録された画像記録面が下面になる状態で前記用紙が排出される。したがって、所謂フェイスダウントレイとしての排紙トレイ（Ｈｔ）には、両面記録時には裏面、表面の順に画像が記録され表面が下面になる状態で順次積載されるため、ページ順序が揃う。また、片面記録時には、表面が下面になる状態で順次積載されるため、ページ順が揃う。特定方向排出用紙に関しても同様であり、片面記録・両面記録が混在する場合でもページ順が揃う。この結果、ユーザは、排紙トレイ（Ｈｔ）に積載された用紙束のページ順を揃える必要が無くなるので、ページ順を揃える面倒な作業を無くし、作業効率を高めることができる。
【００２４】
（本発明の形態２）
本発明の形態２の画像形成装置（ＰＲ）は、前記本発明または本発明の形態１の画像形成装置（ＰＲ）において、
前記用紙トレイ（ＹＴ１，ＹＴ２）に収容されている用紙種類を記憶するトレイ収容用紙種類記憶手段（Ｃ２Ｄ）と、
給紙を行う前記用紙トレイ（ＹＴ１，ＹＴ２）が指定されているか否かを判別するトレイ指定判別手段（Ｃ２Ｃ）と、
給紙を行う前記用紙トレイ（ＹＴ１，ＹＴ２）が指定されると共に、前記特定方向排出用紙の片面にのみ画像を記録する場合に、前記用紙トレイ（ＹＴ１，ＹＴ２）に収容されている用紙種類に関わらず、指定された前記用紙トレイ（ＹＴ１，ＹＴ２）から給紙を行う前記給紙装置（１）と、
を備えたことを特徴とする。
【００２５】
（本発明の形態２の作用）
前記構成要件を備えた本発明の形態２の画像形成装置（ＰＲ）では、トレイ収容用紙種類記憶手段（Ｃ２Ｄ）には、前記用紙トレイ（ＹＴ１，ＹＴ２）に収容されている用紙種類が記憶されている。トレイ指定判別手段（Ｃ２Ｃ）は、給紙を行う前記用紙トレイ（ＹＴ１，ＹＴ２）が指定されているか否かを判別する。そして、前記給紙装置（１）は、給紙を行う前記用紙トレイ（ＹＴ１，ＹＴ２）が指定されると共に、前記特定方向排出用紙の片面にのみ画像を記録する場合に、前記用紙トレイ（ＹＴ１，ＹＴ２）に収容されている用紙種類に関わらず、指定された前記用紙トレイ（ＹＴ１，ＹＴ２）から給紙を行う。
したがって、用紙トレイ（ＹＴ１，ＹＴ２）の指定がある場合には、指定された用紙トレイ（ＹＴ１，ＹＴ２）に収容されている用紙種類が特定方向排出用紙でなくても、ユーザの指定を優先して、強制的に指定された用紙トレイ（ＹＴ１，ＹＴ２）から給紙を行うことができる。
【００２６】
（本発明の形態３）
本発明の形態３の画像形成装置（ＰＲ）は、前記本発明及び本発明の形態１、２のいずれかの画像形成装置（ＰＲ）において、
前記排紙トレイ（Ｈｔ）の近傍に配置され、前記標準用紙搬送路から前記排紙トレイ（Ｈｔ）に排出される前記用紙を検出する排出用紙センサ（ＳＮ）と、
前記特定方向排出用紙の片面にのみ画像を記録する場合に、給紙された用紙を搬送して前記画像記録領域（Ｑ）を通過する際には画像記録を実行せず、前記画像記録領域（Ｑ）を通過した用紙を前記用紙反転路（Ｈ３）を経て前記画像記録領域（Ｑ）に再送して前記画像記録領域（Ｑ）を再度通過する際に前記特定方向排出用紙に画像を記録するように前記画像記録装置（２）を制御する前記画像記録制御手段（Ｃ３Ｃ）と、
前記用紙の用紙搬送方向前部を前記排紙トレイ（Ｈｔ）内に搬送した後で、前記用紙を前記用紙反転路（Ｈ３）に搬送する前記用紙搬送装置（３）と、
前記排出用紙センサ（ＳＮ）の用紙検出信号に応じて、画像記録枚数をカウントする記録枚数カウンタ（Ｃ４）であって、前記特定方向排出用紙の片面にのみ画像を記録する場合に、前記特定方向排出用紙が前記用紙反転路（Ｈ３）に搬送される際に前記排出用紙センサ（ＳＮ）に検出されても、画像記録枚数のカウントを実行しない前記記録枚数カウンタ（Ｃ４）と、
を備えたことを特徴とする。
【００２７】
（本発明の形態３の作用）
前記構成要件を備えた本発明の形態３の画像形成装置（ＰＲ）では、排出用紙センサ（ＳＮ）は、前記排紙トレイ（Ｈｔ）の近傍に配置され、前記標準用紙搬送路から前記排紙トレイ（Ｈｔ）に排出される前記用紙を検出する。記録枚数カウンタ（Ｃ４）は、前記排出用紙センサ（ＳＮ）の用紙検出信号に応じて、画像記録枚数をカウントする。前記用紙搬送装置（３）は、前記用紙の用紙搬送方向前部を前記排紙トレイ（Ｈｔ）内に搬送した後で、前記用紙を前記用紙反転路（Ｈ３）に搬送する。そして、前記特定方向排出用紙の片面にのみ画像を記録する場合には、前記特定方向排出用紙が前記用紙反転路（Ｈ３）に搬送される際に前記排出用紙センサ（ＳＮ）に検出されても、前記記録枚数カウンタ（Ｃ４）は、画像記録枚数のカウントを実行しない。
【００２８】
したがって、前記画像記録枚数カウンタ（Ｃ４）によって、画像が記録された枚数をカウントできると共に、特定方向排出用紙に画像記録を実行しない場合にカウントすることを防止できる。この結果、正確な画像記録枚数をカウントでき、正確な画像記録枚数に応じた課金や画像記録枚数の管理を行うことができる。
【発明の効果】
【００２９】
前述の本発明は、前記特定方向排出用紙に片面記録または両面記録する際に用紙の表裏・前後を入れ替える面倒な作業を防止しつつ、両面記録時または片面・両面記録混在時の画像形成装置の生産性を向上させることができる。
【発明を実施するための最良の形態】
【００３０】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００３１】
図１は本発明の実施例１を備えた画像形成装置の説明図である。
図１において、画像形成装置としてのプリンタＰＲは、ＵＩ（ユーザインタフェース）を有しており、コンピュータＰＣからプリンタＰＲのコントローラＣに入力された画像データは、コントローラの一時記憶メモリに記憶される。前記コントローラＣに入力された画像データは、ビットマップ画像データに変換されて、レーザ駆動データとしてレーザ駆動回路ＤＬに出力される。前記レーザ駆動回路ＤＬは、入力されたレーザ駆動データに応じたレーザ駆動信号をＲＯＳ（静電潜像書込装置）のレーザダイオードに出力する。
【００３２】
画像形成装置ＰＲの像担持体（感光体ドラム）Ｐの表面は帯電ロール（チャージロール）ＣＲにより一様に帯電され、ＲＯＳ（潜像書込装置）から出射するレーザビームＬにより静電潜像が書き込まれる。静電潜像は現像器Ｄでトナー像に現像される。前記トナー像は像担持体Ｐの回転に伴い転写ロールＴと対向する転写領域（画像記録領域）Ｑに移動する。
前記コントローラＣにより制御される電源回路Ｅは、現像用のトナーの帯電極性と逆極性の転写電圧を転写ロールＴに印加する。
【００３３】
前記現像器Ｄの下方には、画像が記録される用紙を収容する用紙トレイＹＴ１，ＹＴ２が配置されている。前記用紙トレイＹＴ１，ＹＴ２と前記転写領域（画像記録領域）Ｑとの間には給紙搬送路（用紙搬送路）Ｈ１が配置されている。前記給紙搬送路Ｈ１は、前記用紙トレイＹＴ１，ＹＴ２から取り出された用紙Ｓを複数の搬送ロール（用紙搬送部材）Ｒ１により前記転写領域Ｑに搬送するシート搬送路である。前記用紙トレイＹＴ１，ＹＴ２に隣接して給紙ロールＲｋが配置されている。用紙トレイＹＴ１，ＹＴ２に収容された用紙Ｓは、所定のタイミングで給紙ロールＲｋにより取り出され、給紙搬送路Ｈ１に給紙される。
前記用紙トレイＹＴ１，ＹＴ２、給紙ロールＲｋ等により給紙装置１が構成されている。
【００３４】
前記転写領域Ｑの用紙搬送方向上流側には、レジストレーションロール（レジロール、用紙搬送部材）Ｒ２が配置されている。前記給紙搬送路Ｈ１を搬送された用紙Ｓは、レジロールＲｒで一旦停止してから所定のタイミングで転写領域Ｑに搬送される。用紙Ｓが転写領域Ｑを通過する際、転写ロールＴにより像担持体Ｐ上のトナー像が用紙Ｓに転写される。前記転写後の像担持体ＰＲ表面に残った転写残トナーはクリーナＣＬにより除去される。
前記転写領域Ｑでトナー像が転写された用紙Ｓは、共通用紙搬送路Ｈ２上に配置された定着装置（フューザ）Ｆに搬送され、前記定着装置Ｆを通過する時にトナー像が加熱定着される。
前記像担持体ＰＲ、帯電ロールＣＲ、潜像書込装置ＲＯＳ、転写ロールＴ、クリーナＣＬ等により、用紙Ｓに画像を記録する画像記録装置２が構成されている。また、給紙搬送路Ｈ１及び共通搬送路Ｈ２により標準搬送路が構成されている。
【００３５】
トナー像が定着された用紙Ｓは、正逆回転可能な排紙ロール（用紙搬送部材）Ｒ３に搬送され、プリンタＰＲの上部に配置された排紙トレイＨｔに排出される。図１からわかるように実施例１の排紙トレイＨｔは、フェイスダウントレイであり、片面記録時に画像が記録された画像記録面が下面になる状態で排出される。
前記排紙ロールＲ３の近傍には、排出される用紙を検出する排出センサＳＮが配置されている。前記排紙ロールＲ３の左方には、用紙反転路Ｈ３が形成されている。前記用紙反転路Ｈ３は、前記レジロールＲ２の上流まで延びており、用紙反転路Ｈ３上には反転路搬送ロール（用紙搬送部材）Ｒ４が配置されている。
【００３６】
前記排紙ロールＲ３は正逆回転可能なロール状部材であり、両面記録時の一面目の記録が終わった用紙（片面記録済用紙）が排紙ロールＲ３に搬送された場合、先ず、正回転駆動により排紙トレイＨｔ側に用紙Ｓを途中まで排出する。そして、片面記録済用紙の後端が排紙ロールＲ３を通過する前に逆回転駆動し、片面記録済用紙をスイッチバックさせて用紙反転路Ｈ３に搬送する。そして、用紙Ｓは、反転路搬送部材Ｒ４によりレジロールＲ２に搬送され、転写領域Ｑに再送される。前記用紙反転路Ｈ３を通過した前記片面記録済用紙Ｓは、表裏及び用紙搬送方向が逆転している。
前記搬送ロールＲ１、レジロールＲ２、排紙ロールＲ３、反転路搬送ロールＲ４、給紙搬送路Ｈ１、共通搬送路Ｈ２、用紙反転路Ｈ３等により用紙搬送装置３が構成されている。
【００３７】
（プリンタの制御部の説明）
図２は実施例１のプリンタの機能をブロック図（機能ブロック図）で示した図である。
図２において、プリンタＰＲのコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ、記録媒体）、必要なデータを一時的に記憶するためのＲＡＭ（ランダムアクセスメモリ、記録媒体）、ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００３８】
前記コントローラＣには、ユーザインタフェースＵＩや排出センサＳＮ、その他の信号入力要素からの信号が入力されている。前記ユーザインタフェースＵＩは、表示器や各種設定キー等を有しており、ユーザがプリンタＰＲの各種設定を行うことができる。前記排出センサＳＮは、排紙トレイＨｔに排出された用紙Ｓの検出信号をコントローラＣに入力する。
【００３９】
前記コントローラＣは、コンピュータＰＣから送信された画像データを受信し、記憶する画像データ受信記憶手段Ｃ１を有している。なお、実施例１の受信画像データには、画像の記録を片面記録で行うか両面記録で行うかの指定データ、画像記録を行う用紙種類の指定データ、給紙を行う用紙トレイの指定データ等が付加されて、コンピュータＰＣから送信される。また、コントローラＣは、受信した画像データに含まれる両面記録の指定や、給紙を行う用紙トレイの指定等の各種設定データを判別するデータ判別手段Ｃ２を有している。前記データ判別手段Ｃ２は、片面記録判別手段Ｃ２Ａと、用紙種類判別手段Ｃ２Ｂと、トレイ指定判別手段Ｃ２Ｃと、トレイ収容用紙種類記憶手段Ｃ２Ｄと、指定用紙収容トレイ判別手段Ｃ２Ｅと、搬送形式設定手段Ｃ２Ｆと、白紙画像設定手段Ｃ２Ｇと、エラーフラグＦＬ１とを有している。
【００４０】
前記データ判別手段Ｃ２の片面記録判別手段Ｃ２Ａは、画像データを片面で記録（印刷）するのか否かを判別する。また、データ判別手段Ｃ２の用紙種類判別手段Ｃ２Ｂは、画像データを記録する用紙の種類を判別する。即ち、用紙種類判別手段Ｃ２Ｂは、前もってパンチ孔が形成されたプレパンチ紙や既に画像が記録されているプレプリント紙等の、予め用紙Ｓの表裏や用紙搬送方向の前後が決まっており、特定の側端を用紙排出方向前端として排出される特定方向排出用紙が指定されているか否かを判別する。
【００４１】
前記データ判別手段Ｃ２のトレイ指定判別手段Ｃ２Ｃは、給紙を行う用紙トレイＹＴ１，ＹＴ２が指定されているか否かを判別する。トレイ収容用紙種類記憶手段Ｃ２Ｄは、各用紙トレイＹＴ１，ＹＴ２に収容されている用紙の種類を記憶する。実施例１のトレイ収容用紙種類記憶手段Ｃ２Ｄは、ユーザインタフェースＵＩからユーザにより選択入力された用紙種類（「普通紙」や「厚紙」、「プレパンチ紙」等）を記憶する。
【００４２】
指定用紙収容トレイ判別手段Ｃ２Ｅは、前記用紙種類判別手段Ｃ２Ｂで判別された画像記録を行う用紙種類が収容されている用紙トレイＹＴ１、ＹＴ２が、あるか否かを前記トレイ収容用紙種類記憶手段Ｃ２Ｄの記憶データに基づいて判別する。搬送形式設定手段Ｃ２Ｆは、片面記録が指定されているか否か及び特定方向排出用紙が指定されているか否かに基づいて搬送形式を片面搬送形式または両面搬送形式のいずれかに設定する。実施例１の搬送形式設定手段Ｃ２Ｆは、両面記録または特定方向排出用紙に片面記録を行う場合は搬送形式を両面搬送形式に設定し、特定方向排出用紙以外の用紙に片面記録を行う場合は片面搬送形式に設定する。
【００４３】
白紙画像設定手段Ｃ２Ｇは、片面記録が指定され且つ特定方向排出用紙が指定されている場合に、裏面画像に白紙画像を設定する。エラーフラグＦＬ１は、初期値は「０」であり、前記トレイ指定判別手段Ｃ２Ｃでトレイも指定されていないと判別され且つ、前記指定用紙収容トレイ判別手段Ｃ２Ｅで指定された種類の用紙が収容されているトレイがないと判別された場合に、「１」となり、画像記録が禁止される。そして、エラーが解消される（例えば、画像データの記録がキャンセルされた場合や、指定された種類の用紙がセットされた場合等）と、「０」となる。
【００４４】
また、前記コントローラＣは、前記画像データや、データ判別手段Ｃ２で判別された結果に応じて、各装置１〜３の動作の制御を行う装置制御手段Ｃ３を有している。前記装置制御手段Ｃ３は、用紙搬送装置駆動回路ＤＣ１を介して用紙搬送装置３の各搬送ロールＲ１〜Ｒ４の駆動を制御する用紙搬送制御手段Ｃ３Ａを有している。前記用紙搬送制御手段Ｃ３Ａは、両面搬送形式制御手段Ｃ３Ａ１と、片面搬送形式制御手段Ｃ３Ａ２とを有しており、両面記録または特定方向排出用紙に片面記録を行う場合は両面搬送モード（後述）で搬送し、特定方向排出用紙以外の用紙に片面記録を行う場合は片面搬送モード（後述）で搬送するように用紙搬送装置３の動作の制御を行う。
【００４５】
両面搬送形式制御手段Ｃ３Ａ１は、給紙された用紙を搬送して前記転写領域（画像記録領域）Ｑを通過させ、前記転写領域Ｑを通過して用紙を用紙反転路Ｈ３を経て転写領域Ｑに再送して転写領域Ｑを再度通過させ、排紙トレイＨｔに搬送する両面搬送モード（両面搬送形式）が設定された場合に、前記両面搬送モードで用紙Ｓを搬送するように用紙搬送装置３の制御を行う。
また、片面搬送形式制御手段Ｃ３Ａ２は、給紙された用紙を搬送して前記転写領域Ｑを通過させ、直接排紙トレイＨｔに排出する片面搬送モード（片面搬送形式）が設定された場合に、前記片面搬送モードで用紙Ｓを搬送するように用紙搬送装置３の制御を行う。
【００４６】
前記装置制御手段Ｃ３の給紙装置制御手段Ｃ３Ｂは、給紙装置駆動回路ＤＣ２を介して給紙装置の給紙ロールＲｋの駆動を制御する。前記装置制御手段Ｃ３の画像記録制御手段Ｃ３Ｃは、画像記録装置駆動回路ＤＣ３を介して画像記録装置２の像担持体Ｐの駆動や、定着装置Ｆの回転部材の駆動等を制御して、用紙Ｓに画像を記録する。
【００４７】
前記画像記録制御手段Ｃ３Ｃは、両面記録時記録装置制御手段Ｃ３Ｃ１と、片面記録時記録装置制御手段Ｃ３Ｃ２と、特定用紙時記録装置制御手段Ｃ３Ｃ３とを有している。前記両面記録時記録装置制御手段Ｃ３Ｃ１は、両面記録が指定されている場合に、給紙された用紙Ｓの一面目が転写領域Ｑを通過する際に両面記録する画像の裏面側の画像を用紙Ｓに記録し、用紙反転路Ｈ３を経て表裏が反転して転写領域Ｑに再送された用紙の二面目に表面側の画像を記録するように画像記録装置２を制御する。
また、片面記録時記録装置制御手段Ｃ３Ｃ２は、前記特定方向排出用紙以外の用紙Ｓに片面にのみ画像を記録する片面記録を実行する際に、給紙された用紙Ｓの一面目が転写領域Ｑを通過する際に画像を記録するように画像記録装置２を制御する。
【００４８】
さらに、特定用紙時記録装置制御手段Ｃ３Ｃ３は、前記特定方向排出用紙Ｓに片面記録を実行する場合に、用紙反転路Ｈ３を経て表裏反転した状態で転写領域Ｑに再送された特定方向排出用紙Ｓに画像を記録するように画像記録装置２を制御する。
前記装置制御手段Ｃ３は電源回路制御手段Ｃ３Ｄを有し、電源回路Ｅを介して、画像記録装置２の帯電ロールＣＲの帯電電圧や、現像器Ｄの現像電圧、転写ロールの転写電圧、定着装置Ｆのヒータの電流等の供給電圧・供給電流を制御する。
【００４９】
また、前記コントローラＣは、記録枚数カウンタＣ４を有し、排出センサＳＮから出力される検出信号に基づいて、画像記録枚数をカウントする。そして、実施例１の記録枚数カウンタＣ４は、前記特定方向排出用紙Ｓの片面にのみ画像を記録する場合に、特定方向排出用紙Ｓが用紙反転路Ｈ３に搬送される際に排出用紙センサに検出されても、画像記録枚数のカウントを実行しない。即ち、前記特定方向排出用紙Ｓの片面にのみ画像を記録する場合には、排出センサＳＮから検出信号が２回入力されるが、１回しかカウントしない。
【００５０】
（フローチャートの説明）
図３は実施例１の印刷処理のフローチャートである。
図３のフローチャートの各ＳＴ（ステップ）の処理は、プリンタＰＲのコントローラＣのＲＯＭ等に記憶されたプログラムに従って行われる。また、この処理はプリンタＰＲの他の各種処理と並行して実行される。
図３に示すフローチャートはプリンタＰＲの電源オンにより開始される。
【００５１】
図３のＳＴ１において、画像データを受信し、ジョブが開始されたか否かを判別する。イエス（Ｙ）の場合はＳＴ２に移り、ノー（Ｎ）の場合はＳＴ１を繰り返す。
ＳＴ２において、印刷対象（画像記録対象）のページ、即ち、画像データ中の未印刷ページの最初のページを片面記録する指定がされているか否かを判別する。ノー（Ｎ）の場合はＳＴ３に移り、イエス（Ｙ）の場合はＳＴ４に移る。
【００５２】
ＳＴ３において、通常の両面記録（両面印刷）を実行する。即ち、用紙を両面搬送モードで搬送し、一面目に裏面の画像を記録し、表裏反転した二面目に表面の画像を記録する。このとき、前記記録枚数カウンタは、カウント値（画像記録枚数）を２加算する。なお、この場合、特定方向排出用紙が指定されている場合でも、それ以外の用紙が指定されている場合でも、給紙する用紙トレイＹＴ１，ＹＴ２が異なるだけで、同様の画像記録動作及び用紙の搬送を実行する。そして、ＳＴ１１に移る。
ＳＴ４において、特定方向排出用紙で画像記録を行う指定がされているか否かを判別する。ノー（Ｎ）の場合はＳＴ５に移り、イエス（Ｙ）の場合はＳＴ６に移る。
【００５３】
ＳＴ５において、通常の片面記録（片面印刷）を実行する。即ち、特定方向排出用紙以外の用紙Ｓを片面搬送モードで搬送し、一面目に表面の画像を記録し、排紙トレイＨｔに排出する。このとき、前記記録枚数カウンタは、カウント値（画像記録枚数）を１加算する。そして、ＳＴ１１に移る。
ＳＴ６において、用紙Ｓを給紙する用紙トレイＹＴ１，ＹＴ２の指定がされているか否かを判別する。イエス（Ｙ）の場合はＳＴ７に移り、ノー（Ｎ）の場合はＳＴ８に移る。
ＳＴ７において、指定された用紙トレイを給紙トレイに設定する。即ち、指定された用紙トレイの用紙Ｓを給紙するように設定する。そして、ＳＴ１０に移る。
【００５４】
ＳＴ８において、前記トレイ収容用紙種類記憶手段Ｃ２Ｄに記憶された（登録された）データに基づいて、特定方向排出用紙Ｓが収容された用紙トレイＹＴ１，ＹＴ２があるか否かを判別する。イエス（Ｙ）の場合はＳＴ９に移り、ノー（Ｎ）の場合はＳＴ１２に移る。
ＳＴ９において、特定方向排出用紙Ｓが収容された用紙トレイが登録されているので、特定方向排出用紙Ｓが収容された用紙トレイを給紙トレイに設定する。そして、ＳＴ１０に移る。
【００５５】
ＳＴ１０において、次の処理（１）〜（４）を実行し、ＳＴ１１に移る。
（１）用紙搬送モード（用紙搬送形式）を両面搬送モードに設定する。
（２）一面目に記録する画像として白紙画像（ダミー画像）を作成し、記録する。
（３）二面目に記録する画像として、印刷対象ページの画像データを作成し、記録する。
（４）枚数カウンタＣ４のカウント値（画像記録枚数）を１加算する。
ＳＴ１１において、ジョブが終了したか否か、即ち、画像記録対象の残りページが残っているか否かを判別する。ノー（Ｎ）の場合（残りページ有りの場合）はＳＴ２に戻り、イエス（Ｙ）の場合（残りページ無しの場合）はＳＴ１に戻る。
【００５６】
ＳＴ１２において、特定方向用紙Ｓへの記録が指定されたが、特定方向用紙Ｓが収容された用紙トレイがないので、エラーフラグＦＬ１を「１」とし、画像記録を中断する。そして、ユーザインタフェースＵＩの表示器に特定方向用紙Ｓをセットするように促す表示を行う。そして、ＳＴ１３に移る。
ＳＴ１３において、エラーが解除されたか否かを判別する。実施例１のプリンタＰＲでは、（１）ユーザが特定方向排出用紙Ｓをいずれかの用紙トレイＹＴ１，ＹＴ２にセットし、ユーザインタフェースＵＩから特定方向排出用紙Ｓが収容されたことを入力した場合や、（２）用紙トレイに収容された用紙種類の設定を特定方向排出用紙に変更する入力をユーザが行った場合、（３）画像データを削除して画像記録を止めた場合に、エラーが解除される。
【００５７】
なお、エラーが解除される場合は前記（１）〜（３）に限定されず、例えば、（４）いずれかの用紙トレイＹＴ１，ＹＴ２の用紙Ｓを使用して強制的に画像記録を実行する入力をユーザインタフェースＵＩから行った場合に、エラーを解除して、そのジョブの間のみ入力された用紙トレイの用紙Ｓの種類を特定方向排出用紙としてジョブを実行するように構成することも可能である。また、例えば、（５）いずれかの用紙トレイＹＴ１，ＹＴ２の用紙Ｓを使用して画像記録を実行する入力をユーザインタフェースＵＩから行った場合に、エラーを解除して、そのジョブの間のみ入力された用紙トレイの用紙Ｓの種類（特定方向排出用紙以外の種類）に基づいてジョブを実行するように構成することも可能である。イエス（Ｙ）の場合はＳＴ１４に移り、ノー（Ｎ）の場合はＳＴ１３を繰り返す。
ＳＴ１４において、エラーフラグＦＬ１を「０」とし、ＳＴ１１に移る。
【００５８】
（実施例１の作用）
前記構成を備えた実施例１のプリンタ（画像形成装置）ＰＲでは、コンピュータＰＣから送信された画像データに付加された各種指定データに応じて、片面記録または両面記録が実行される。両面記録が指定されている場合は、指定された種類の用紙Ｓが給紙され、一面目には裏面の画像が記録され、二面目に表面の画像が記録される。そして、フェイスダウントレイ（排紙トレイ）Ｈｔに、ページ順が揃った状態で順次排紙される（図３のＳＴ３参照）。
【００５９】
特定方向排出用紙以外の用紙Ｓが指定され、前記用紙Ｓに片面記録する場合、一面目に片面記録画像が記録されてフェイスダウントレイＨｔにページ順が揃った状態で順次排紙される（図３のＳＴ５参照）。
特定方向排出用紙Ｓに片面記録をする場合、用紙トレイには、両面記録時に裏面の画像が記録される面が一面目になるようにセットされているので、一面目に白紙画像を記録して（即ち、実質的な画像記録を行わず）、用紙反転路を通過後、表面画像が記録されるべき二面目に片面記録画像を記録する（図３のＳＴ１０参照）。そして、二面目が下面になる状態で前記フェイスダウントレイＨｔに排紙される。したがって、この場合も、排紙トレイＨｔに積載された用紙束のページ順は揃う。
【００６０】
さらに、特定方向排出用紙Ｓが指定され且つ、両面記録・片面記録が混在している場合、例えば、１ページ目と２ページ目を両面記録して、３ページ目を片面記録する場合、両面記録された１枚目の特定方向排出用紙Ｓが、排紙トレイＨｔに１ページ目が下面の状態で排紙される。そして、３ページ目が片面記録された２枚目の特定方向排出用紙Ｓは、３ページ目が下面の状態で排紙される。したがって、片面記録・両面記録混在の場合でもページ順が揃う。なお、実施例１のプリンタＰＲは、特定方向排出用紙Ｓ以外の用紙（特定の側端が揃った状態で排紙する必要のない用紙）に対して両面記録・片面記録混在で画像記録した場合もページ順が揃った状態で排紙トレイＨｔに排紙される。
【００６１】
また、実施例１のプリンタＰＲでは、片面記録された特定方向排出用紙Ｓは両面搬送モードで搬送されているので、両面記録された特定方向排出用紙Ｓと同じ搬送経路（給紙搬送路Ｈ１→共通用紙搬送路Ｈ２→用紙反転路Ｈ３→共通用紙搬送路Ｈ２→排紙トレイＨｔ）を通過する。したがって、特定方向排出用紙Ｓに画像記録を行う場合、排紙トレイＨｔには、特定方向排出用紙Ｓの特定の側端が揃った状態で排紙される。したがって、例えば、特定方向排出用紙Ｓがプレパンチ紙である場合、パンチ孔が形成された側端が揃った状態で排紙トレイに積載される。また、例えば、プレプリント用紙やレターヘッド紙、ラベル紙の用紙のような表裏が予め設定されている特定方向排出用紙の場合でも、裏面画像が記録されるべき一面目に表面側の画像である片面記録画像が記録されることを防止できる。
【００６２】
この結果、実施例１のプリンタ（画像形成装置）ＰＲは、特定方向排出用紙Ｓに片面記録する場合及び両面記録する場合、あるいは片面記録・両面記録が混在する場合に、用紙トレイＹＴに収容された特定方向排出用紙Ｓの表裏・前後を、ユーザが入れ替える必要がない。したがって、ユーザにとって面倒な作業である用紙の入れ替え作業を省略できる。
そして、実施例１のプリンタＰＲでは、特定方向排出用紙Ｓに両面記録をする場合に、通常の両面記録と同様の画像記録速度で記録できるので、生産性の低下することを防止できる。
【００６３】
また、実施例１のプリンタＰＲの排紙トレイＨｔは、フェイスダウントレイであるので、両面記録時には裏面、表面の順に画像が記録され表面が下面になる状態で用紙Ｓが順次積載され、ページ順序が揃う。また、特定方向排出用紙以外の用紙に片面記録する場合、表面が下面になる状態で順次積載されるため、ページ順が揃う。さらに、特定方向排出用紙Ｓに片面記録する場合も、片面記録画像が記録された面が下面になる状態で順次積載されるので、ページ順が揃う。そして、片面記録・両面記録が混在する場合でもページ順は揃う。この結果、ユーザが排紙トレイＨｔに積載された用紙束のページ順を揃える必要が無くなり、作業効率を高めることができる。
【００６４】
さらに、実施例１のプリンタＰＲでは、特定方向排出用紙が指定され且つ、用紙トレイの指定がある場合には、指定された用紙トレイに収容されている用紙種類に関わらず（特定方向排出用紙Ｓでなくても）、ユーザの指定を優先して、強制的に指定された用紙トレイから給紙を行うことができる（ＳＴ６、ＳＴ７参照）。
また、実施例１のプリンタＰＲは、前記画像記録枚数カウンタＣ４によって、画像が記録された枚数をカウントできると共に、特定方向排出用紙Ｓに実質的な画像記録を実行しない場合にカウントすることを防止できる。この結果、正確な画像記録枚数をカウントでき、正確な画像記録枚数に応じた課金や画像記録枚数の管理を行うことができる。
【実施例２】
【００６５】
次に本発明の画像形成装置の実施例２の説明を行うが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
（プリンタの制御部の説明）
図４は実施例２のプリンタの機能をブロック図（機能ブロック図）で示した図であり、実施例１の図２に対応する図である。
図４において、実施例２のプリンタのコントローラＣは、実施例１の各手段に加え、裏面画像無し判別フラグＦＬ２を有している。裏面画像無し判別フラグＦＬ２は、初期値は「０」であり、画像記録が実行された結果、裏面画像が全て記録された場合に「１」となる。
【００６６】
（フローチャートの説明）
図５は実施例２のデータ判別手段により実行される画像記録設定処理のフローチャートである。
図５のフローチャートの各ＳＴ（ステップ）の処理は、プリンタＰＲのコントローラＣのＲＯＭ等に記憶されたプログラムに従って行われる。また、この処理はプリンタＰＲの他の各種処理（後述の図６〜図８の処理等）と並行して実行される。なお、前記図３に示す実施例１の印刷処理と同様の処理については、同一のＳＴ番号を付し、詳細な説明を省略する。
【００６７】
図５に示すフローチャートはプリンタＰＲの電源オンにより開始される。
図５のＳＴ１において、画像データを受信し、ジョブが開始されたか否かを判別する。イエス（Ｙ）の場合はＳＴ４′に移り、ノー（Ｎ）の場合はＳＴ１を繰り返す。
ＳＴ４′において、特定方向排出用紙で画像記録を行う指定がされているか否かを判別する。イエス（Ｙ）の場合はＳＴ２１に移り、ノー（Ｎ）の場合はＳＴ２６に移る。
ＳＴ２１において、用紙Ｓの搬送形式を両面搬送形式に設定する。そしてＳＴ６に移る。
【００６８】
ＳＴ６〜ＳＴ９及びＳＴ１２〜ＳＴ１４において、前記実施例１と同様の処理を実行する。実施例２の画像記録設定処理では、実施例１のＳＴ１０、ＳＴ１１に替えてＳＴ２２〜ＳＴ２５が実行される。
図５のＳＴ２２において、図３のＳＴ２と同様に、印刷対象ページ（画像記録対象ページ）を片面記録する指定がされているか否かを判別する。イエス（Ｙ）の場合はＳＴ２３に移り、ノー（Ｎ）の場合はＳＴ２４に移る。
ＳＴ２３において、次の処理（１），（２）を実行し、ＳＴ２５に移る。
（１）表面画像に印刷対象ページである片面画像を設定する。
（２）裏面画像に白紙画像を設定する。
ＳＴ２４において、ページ順に基づいて、印刷対象ページを表面画像に設定し、次のページを裏面画像に設定して、ＳＴ２５に移る。
ＳＴ２５において、設定がされていない残りページがあるか否かを判別する。イエス（Ｙ）の場合はＳＴ２２に戻り、ノー（Ｎ）の場合はＳＴ１に戻る。
【００６９】
特定方向排出用紙が指定されていない場合、ＳＴ２６において、図３のＳＴ２と同様に、印刷対象ページ（画像記録対象ページ）を片面記録する指定がされているか否かを判別する。イエス（Ｙ）の場合はＳＴ２７に移り、ノー（Ｎ）の場合はＳＴ２８に移る。
ＳＴ２７において、次の処理（１）、（２）を実行し、ＳＴ２９に移る。
（１）搬送形式を片面搬送形式に設定する。
（２）印刷対象ページの片面画像を表面画像に設定する。
ＳＴ２８において、次の処理（１）、（２）を実行し、ＳＴ２９に移る。
（１）搬送形式を両面搬送形式に設定する。
（２）ページ順に基づいて、印刷対象ページを表面画像に設定し、次のページを裏面画像に設定する。
ＳＴ２９において、設定がされていない残りページがあるか否かを判別する。イエス（Ｙ）の場合はＳＴ２６に戻り、ノー（Ｎ）の場合はＳＴ１に戻る。
【００７０】
（画像記録装置２の制御処理のフローチャートの説明）
図６は実施例２の画像記録制御手段により実行される画像記録装置制御処理のフローチャートである。
図６のフローチャートの各ＳＴ（ステップ）の処理は、プリンタＰＲのコントローラＣのＲＯＭ等に記憶されたプログラムに従って行われ、プリンタＰＲの他の各種処理（前記図５、後述の図７、図８の処理等）と並行して実行される。
図６に示すフローチャートはプリンタＰＲの電源オンにより開始される。
【００７１】
図６のＳＴ３１において、画像データを受信し、ジョブが開始されたか否かを判別する。イエス（Ｙ）の場合はＳＴ３２に移り、ノー（Ｎ）の場合はＳＴ３１を繰り返す。
ＳＴ３２において、両面搬送形式が設定されているか否かを判別する。即ち、前記図５の画像記録設定処理のＳＴ２１、ＳＴ２７、ＳＴ２８により、両面搬送形式が設定されたか否かを判別する。イエス（Ｙ）の場合はＳＴ３３に移り、ノー（Ｎ）の場合はＳＴ４３に移る。
ＳＴ３３において、次の初期化処理（１）、（２）を実行する。
（１）裏面画像無し判別フラグＦＬ２を「０」に初期化する。
（２）画像記録対象用紙枚数ｎを１に初期化する。
そして、ＳＴ３４に移る。
【００７２】
ＳＴ３４において、２ｎページが存在するか否かを判別する。即ち、実施例２のプリンタＰＲは、両面記録または特定方向排出用紙が指定された場合、裏面画像→表面画像の順で印刷が実行されるので、印刷が実行されるｎ枚目の用紙の裏面画像（２ｎページの画像）が存在するか否かを判別する。イエス（Ｙ）の場合はＳＴ３５に移り、ノー（Ｎ）の場合はＳＴ３７に移る。
ＳＴ３５において、画像記録タイミングになったか否かを判別する。即ち、給紙または用紙反転路を搬送された用紙の位置に応じて予め設定されている画像記録動作（レーザＬの書き込み開始等）を開始するタイミングになったか否かを判別する。イエス（Ｙ）の場合はＳＴ３６に移り、ノー（Ｎ）の場合はＳＴ３５を繰り返す。
ＳＴ３６において、印刷対象の２ｎページの画像（裏面画像）の記録（レーザＬによる静電潜像の書き込み等）を実行する。そして、ＳＴ３８に移る。
一方、２ｎページがない場合（ＳＴ３４でノー（Ｎ）の場合）には、ＳＴ３７において、裏面画像無し判別フラグＦＬ２＝「１」として、ＳＴ３８に移る。
【００７３】
ＳＴ３８において、（２ｎ−３）ページが存在するか否かを判別する。即ち、印刷が実行される表面画像が存在するか否かを判別する。実施例２のプリンタＰＲでは、生産性を高めるために用紙搬送経路内に最大３枚の用紙を搬送する。この場合、ｎ枚目の用紙の裏面画像（２ｎページの画像）を記録した後、ｎ枚目の表面画像（（２ｎ−１）＝｛２（ｎ＋１）−３｝ページの画像）が記録される前に、（ｎ−１）枚目の表面画像（（２ｎ−３）ページの画像）及び（ｎ＋１）枚目の裏面画像（２（ｎ＋１）ページの画像）が記録される。したがって、ＳＴ３６で記録された２ｎページの画像の次には、（２ｎ−３）ページの画像が記録される。よって、ＳＴ３８において、（２ｎ−３）ページが存在するか否かを判別する。イエス（Ｙ）の場合はＳＴ３９に移り、ノー（Ｎ）の場合はＳＴ４２に移る。なお、ｎ＝１の場合、（２ｎ−３）＝−１となるが、マイナスのページは存在しないので、この場合はノー（Ｎ）となる。
【００７４】
ＳＴ３９において、ＳＴ３５と同様に、画像記録タイミングになったか否かを判別する。イエス（Ｙ）の場合はＳＴ４０に移り、ノー（Ｎ）の場合はＳＴ３９を繰り返す。
ＳＴ４０において、印刷対象の（２ｎ−３）ページの画像（裏面画像）の記録を実行する。そして、ＳＴ４１に移る。
ＳＴ４１において、画像記録対象用紙枚数ｎの値を１加算する。即ちｎ＝ｎ＋１とする。そしてＳＴ３４に戻る。
一方、（２ｎ−３）ページの画像が無い場合（ＳＴ３８でノーの場合）、ＳＴ４２において、裏面画像無し判別フラグＦＬ２＝「１」か否かを判別する。即ち、２ｎページの画像と、（２ｎ−３）ページの画像の両方の画像が無くなったか否かを判別する。ノー（Ｎ）の場合はＳＴ４１に移り、イエス（Ｙ）の場合（即ち、ジョブ終了の場合）はＳＴ３１に戻る。
【００７５】
従って、前記ＳＴ３３〜ＳＴ４２によって、両面搬送形式が指定されている場合には、最初に２×１＝２ページが記録される（ＳＴ３６においてｎ＝１の場合参照）。次に、２×１−３＝−１ページが存在しないので（ＳＴ３８参照）、ｎ＝２となり（ＳＴ４１参照）、２×２＝４ページが記録される（ＳＴ３６においてｎ＝２の場合参照）。そして、２×２−３＝１ページが記録された後（ＳＴ４０においてｎ＝２の場合参照）、ｎ＝３となり、２×３＝６ページ、２×３―３＝３ページが記録される（ＳＴ３６及びＳＴ４０においてｎ＝３の場合参照）。したがって、２ページ（１枚目裏）→４ページ（２枚目裏）→１ページ（１枚目表）→６ページ（３枚目裏）→３ページ（２枚目表）→８ページ（４枚目裏）→５ページ（３枚目表）→…の順に記録される。
【００７６】
また、図６において、両面搬送形式が指定されていない場合（ＳＴ３２においてノーの場合）には、ＳＴ４３において、画像記録対象用紙枚数ｎの値を１に初期化する。そして、ＳＴ４４に移る。
ＳＴ４４において、ｎページの画像（即ち、ｎ枚目の片面画像）が存在するか否かを判別する。イエス（Ｙ）の場合はＳＴ４５に移り、ノー（Ｎ）の場合（即ち、ジョブ終了の場合）はＳＴ３１に戻る。
ＳＴ４５において、ＳＴ３５、ＳＴ３９と同様に、画像記録タイミングになったか否かを判別する。イエス（Ｙ）の場合はＳＴ４６に移り、ノー（Ｎ）の場合はＳＴ４５を繰り返す。
ＳＴ４６において、ｎページの片面画像を記録する。そして、ＳＴ４７に移る。
ＳＴ４７において、画像記録対象用紙枚数ｎの値を１加算する。即ちｎ＝ｎ＋１とする。そしてＳＴ４４に戻る。
【００７７】
（給紙装置１の制御処理のフローチャートの説明）
図７は実施例２の給紙装置制御手段により実行される給紙装置制御処理のフローチャートである。
図７のフローチャートの各ＳＴ（ステップ）の処理は、プリンタＰＲのコントローラＣのＲＯＭ等に記憶されたプログラムに従って行われ、プリンタＰＲの他の各種処理（前記図５、図６や後述の図８の処理等）と並行して実行される。
図７に示すフローチャートはプリンタＰＲの電源オンにより開始される。
図７のＳＴ５１において、画像データを受信し、ジョブが開始されたか否かを判別する。イエス（Ｙ）の場合はＳＴ５２に移り、ノー（Ｎ）の場合はＳＴ５１を繰り返す。
【００７８】
ＳＴ５２において、給紙タイミングになったか否かを判別する。即ち、画像記録された用紙の位置や用紙反転路を搬送された用紙の位置に応じて予め設定されていた給紙を実行するタイミングになったか否かを判別する。前記給紙タイミングは、給紙トレイ（上段の用紙トレイＹＴ１または下段の用紙トレイＹＴ２）の設定に応じて異なる。イエス（Ｙ）の場合はＳＴ５３に移り、ノー（Ｎ）の場合はＳＴ５２を繰り返す。
ＳＴ５３において、給紙装置１を駆動して、図５のＳＴ７、ＳＴ９で設定された給紙トレイから給紙を実行する。そして、ＳＴ５４に移る。
ＳＴ５４において、ジョブが終了したか否かを判別する。ノー（Ｎ）の場合はＳＴ５２に戻り、イエス（Ｙ）の場合はＳＴ５１に戻る。
【００７９】
（画像記録枚数カウンタＣ４のカウント処理のフローチャートの説明）
図８は実施例２の画像記録枚数カウンタにより実行される画像記録枚数カウント処理のフローチャートである。
図８のフローチャートの各ＳＴ（ステップ）の処理は、プリンタＰＲのコントローラＣのＲＯＭ等に記憶されたプログラムに従って行われ、プリンタＰＲの他の各種処理（前記図５〜図７の処理等）と並行して実行される。
図８に示すフローチャートはプリンタＰＲの電源オンにより開始される。
図８のＳＴ６１において、画像データを受信し、ジョブが開始されたか否かを判別する。イエス（Ｙ）の場合はＳＴ６２に移り、ノー（Ｎ）の場合はＳＴ６１を繰り返す。
【００８０】
ＳＴ６２において、排出センサＳＮがオンになったか否か、即ち、排出センサＳＮが排紙トレイＨｔに排出される用紙または用紙反転路Ｈ３に搬送される用紙を検出したか否かを判別する。イエス（Ｙ）の場合はＳＴ６３に移り、ノー（Ｎ）の場合はＳＴ６２を繰り返す。
ＳＴ６３において、検出した用紙に記録された画像が、ＳＴ２３で設定された白紙画像であるか否かを判別する。ノー（Ｎ）の場合はＳＴ６４に移り、イエス（Ｙ）の場合はＳＴ６５に移る。
ＳＴ６４において、画像記録枚数のカウント値を１加算する。そして、ＳＴ６５に移る。
ＳＴ６５において、ジョブが終了したか否かを判別する。ノー（Ｎ）の場合はＳＴ６２に戻り、イエス（Ｙ）の場合はＳＴ６１に戻る。
【００８１】
（実施例２の作用）
前記構成を備えた実施例２のプリンタ（画像形成装置）ＰＲでは、実施例１と同様に、両面記録または特定方向排出用紙が指定された場合、両面搬送形式で搬送され（ＳＴ２１、ＳＴ２８参照）、片面記録が指定された場合、片面搬送形式で搬送される（ＳＴ２７参照）。また、実施例１では、印刷対象の用紙１枚毎に画像記録を実施したが、実施例２では、用紙搬送経路Ｈ１〜Ｈ３内に複数の用紙（最大３枚の用紙）を搬送して、生産性を高めている。次に、図９を使用して複数枚の用紙が用紙搬送経路Ｈ１〜Ｈ３内を搬送される状態を説明する。なお、理解の容易のために、特定方向排出用紙が指定され且つ、１枚目の用紙は両面記録が指定され、２枚目は片面記録が指定され、３枚目は両面記録が指定されている片面・両面混在時の場合について説明する。
【００８２】
図９は実施例１の画像形成装置において両面記録及び片面記録が混在する場合に用紙搬送路を搬送される用紙の状態の説明図であり、図９Ａは両面記録される１枚目の用紙が給紙された状態の説明図、図９Ｂは１枚目の用紙の一面目に裏面画像が記録された状態の説明図、図９Ｃは１枚目の用紙が用紙反転路に搬送され且つ片面記録される２枚目の用紙が給紙された状態の説明図、図９Ｄは１枚目の用紙が用紙反転路を通過してレジロールに搬送され且つ２枚目の用紙が排紙ロールにより搬送される状態の説明図、図９Ｅは１枚目の用紙の二面目に表面画像が記録され且つ３枚目の用紙が給紙された状態の説明図、図９Ｆは３枚目の用紙に裏面画像が記録され且つ２枚目の用紙が用紙反転路を通過してレジロールに搬送される状態の説明図、図９Ｇは２枚目の用紙に片面画像が記録され且つ３枚目の用紙が用紙反転路に搬送される状態の説明図、図９Ｈは３枚目の用紙が用紙反転路を通過してレジロールに搬送される状態の説明図、図９Ｉは３枚目の用紙の二面目に表面画像が記録される状態の説明図である。
【００８３】
ジョブが開始されると、特定方向排出用紙が指定されているので、図５のＳＴ２１において、搬送形式が両面搬送形式に設定される。そして、１ページ目は両面記録が指定されているので、ＳＴ２４において１ページ目を表面画像、２ページ目を裏面画像に設定する。そして、３ページ目は片面記録が指定されているので、ＳＴ２３において、３ページ目を表面画像に設定し、４ページ目に白紙の裏面画像を挿入する。さらに、５ページ目（受信データの４ページ目）は両面記録が指定されているので、ＳＴ２４において、５ページ目を表面画像、６ページ目を裏面画像に設定する。
【００８４】
図９Ａにおいて、搬送形式等の設定がされ、給紙タイミングになると１枚目の特定方向排出用紙Ｓ１が給紙される（図７のＳＴ５３参照）。
図９Ｂにおいて、１枚目の用紙Ｓ１の第１面に裏面画像（２ページ目の画像）が記録される（図６のＳＴ３６参照）。
図９Ｃにおいて、１枚目の用紙Ｓ１が用紙反転路Ｈ３の所定の位置まで搬送されると、２枚目の特定方向排出用紙Ｓ２が給紙される（図７のＳＴ５３参照）。
図９Ｄにおいて、２枚目の用紙Ｓ２の裏面画像（４ページ目の画像）は白紙画像なので、２枚目の第１面には、画像が記録されずに（白紙画像が記録されて）、排紙ロールＲ３に搬送される（図６のＳＴ３６参照）。このとき、白紙画像が用紙Ｓ２に記録されたので、画像記録枚数がカウントされない（図８のＳＴ６３参照）。
【００８５】
図９Ｅにおいて、１枚目の用紙Ｓ１の第２面に表面画像（１ページ目の画像）が記録されて排紙トレイＨｔに排紙される（図６のＳＴ４０参照）。このとき、１枚目の用紙Ｓ１が所定の位置まで搬送されると、３枚目の特定方向排出用紙Ｓ３が給紙される（図７のＳＴ５３参照）。
図９Ｆにおいて、給紙された３枚目の用紙Ｓ３の第１面に裏面画像（６ページ目の画像）が記録される（図６のＳＴ３６参照）。
図９Ｇにおいて、２枚目の用紙Ｓ２の第２面に表面画像（３ページ目の画像）が記録され（図６のＳＴ４０参照）、排紙トレイＨｔに排紙される。なお、このとき、７ページ以降の画像が無いので、４枚目の用紙は給紙されない。
図９Ｈ、図９Ｉにおいて、用紙反転路Ｈ３を搬送されて、画像記録領域Ｑに再送された３枚目の用紙Ｓ３の第二面に、表面画像（５ページ目の画像）が記録され（図６のＳＴ４０参照）、排紙トレイＨｔに排出される。
【００８６】
前記図９Ａ〜図９Ｉにおいて、実施例２のプリンタＰＲでは、排紙トレイＨｔに対して、用紙Ｓ１〜Ｓ３は給紙された順に排出される。したがって、排紙トレイＨｔに積載された用紙束は、下面側から順に１ページ、２ページ、３ページ、４ページ（白紙）、５ページ、６ページとなり、用紙順が揃っている。従って、実施例２のプリンタＰＲでは、前記特許文献１記載の技術とは異なり、片面記録・両面記録混在時の場合に、用紙搬送経路Ｈ１〜Ｈ３内に複数の用紙を搬送して画像記録を行っても、ページ順が揃った状態で排紙トレイＨｔに積載できる。
この結果、実施例２のプリンタＰＲは、片面・両面記録混在時に、用紙搬送経路内に複数の用紙を搬送するとページ順が揃わなくなる特許文献１記載の技術（前記図１０、図１１参照）と比較して、生産性を高めることができる。また、その他に、実施例２のプリンタＰＲは、前記実施例１のプリンタＰＲと同様の作用効果を奏する。
【産業上の利用可能性】
【００８７】
以上、本発明の実施例を詳述したが、本発明は、前記実施例に限定されるものではなく、特許請求の範囲に記載された本発明の要旨の範囲内で、種々の変更を行うことが可能である。
例えば、本発明は、プリンタＰＲに限定されず、複写機、ＦＡＸ、複合機（プリンタ、スキャナ、複写機、ＦＡＸ等のいずれか複数の機能を備えた装置）等の画像形成装置に適用可能である。
【００８８】
また、前記実施例１、２では、特定方向排出用紙Ｓに片面記録を行う場合に、一面目に白紙画像を記録したが、一面目には画像記録自体を行わずに、単に転写領域（画像記録領域）Ｑを通過させて、用紙反転路Ｈ３に搬送するよう構成することも可能である。この場合、一面目が転写領域Ｑを通過する際の速度を通常の片面記録時の搬送速度よりも速くすることにより、特定方向排出用紙Ｓに片面記録する場合の画像記録スピード（生産性）の低下も少なくすることができる。
さらに、本発明は、電子写真方式の画像記録装置に限定されず、インクジェット記録方式の画像記録装置や、ドットインパクト方式、熱転写方式、その他の画像記録方式の画像記録装置にも適用可能である。
【００８９】
また、実施例１、２では、フェイスダウントレイが使用されているが、フェイスアップトレイを使用することも可能である。また、フェイスダウントレイ及びフェイスアップトレイの両方を備えることも可能であり、ユーザの指定に応じて、いずれかのトレイに排出可能に構成することも可能である。なお、前記フェイスアップトレイに用紙を排紙する場合には、ページ順が揃うように排出するために、両面記録時には、一面目に表面画像を記録し、二面目に裏面画像を記録することが可能である。そして、片面記録時には、一面目に印刷画像（表面画像）を記録し、用紙反転路を通過させて、二面目に白紙画像（ダミー画像）を形成することにより、片面・両面記録時に用紙トレイに用紙をセットする方向を変える作業を省略すると共に、特定の側端が用紙搬送方向前端となり且つページ順が揃った状態で排出できる。
【００９０】
さらに、前記実施例１、２において、画像記録後の用紙Ｓに対して後処理（ステイプル処理やパンチ処理）を行うフィニッシャー（後処理装置）に、画像記録後の用紙Ｓを排出するように構成することも可能である。
また、前記実施例１、２において、用紙搬送路Ｈ１〜Ｈ３内に最大３枚の用紙Ｓ１〜Ｓ３が搬送される場合について説明したが、用紙搬送路Ｈ１〜Ｈ３の長さ及び使用される用紙のサイズ（Ａ４，Ｂ５等）に応じて、用紙搬送路Ｈ１〜Ｈ３内で搬送される用紙の数を多くすることも可能である。
【図面の簡単な説明】
【００９１】
【図１】図１は本発明の実施例１を備えた画像形成装置の説明図である。
【図２】図２は実施例１のプリンタの機能をブロック図（機能ブロック図）で示した図である。
【図３】図３は実施例１の印刷処理のフローチャートである。
【図４】図４は実施例２のプリンタの機能をブロック図（機能ブロック図）で示した図であり、実施例１の図２に対応する図である。
【図５】図５は実施例２のデータ判別手段により実行される画像記録設定処理のフローチャートである。
【図６】図６は実施例２の画像記録制御手段により実行される画像記録装置制御処理のフローチャートである。
【図７】図７は実施例２の給紙装置制御手段により実行される給紙装置制御処理のフローチャートである。
【図８】図８は実施例２の画像記録枚数カウンタにより実行される画像記録枚数カウント処理のフローチャートである。
【図９】図９は実施例１の画像形成装置において両面記録及び片面記録が混在する場合に用紙搬送路を搬送される用紙の状態の説明図であり、図９Ａは両面記録される１枚目の用紙が給紙された状態の説明図、図９Ｂは１枚目の用紙の一面目に裏面画像が記録された状態の説明図、図９Ｃは１枚目の用紙が用紙反転路に搬送され且つ片面記録される２枚目の用紙が給紙された状態の説明図、図９Ｄは１枚目の用紙が用紙反転路を通過してレジロールに搬送され且つ２枚目の用紙が排紙ロールのにより搬送される状態の説明図、図９Ｅは１枚目の用紙の二面目に表面画像が記録され且つ３枚目の用紙が給紙された状態の説明図、図９Ｆは３枚目の用紙に裏面画像が記録され且つ２枚目の用紙が用紙反転路を通過してレジロールに搬送される状態の説明図、図９Ｇは２枚目の用紙に片面画像が記録され且つ３枚目の用紙が用紙反転路に搬送される状態の説明図、図９Ｈは３枚目の用紙が用紙反転路を通過してレジロールに搬送される状態の説明図、図９Ｉは３枚目の用紙の二面目に表面画像が記録される状態の説明図である。
【図１０】図１０は特許文献１記載の技術で両面記録及び片面記録が混在する場合に用紙搬送路を搬送される用紙の状態の説明図であり、図１０Ａは両面記録される１枚目の用紙が給紙された状態の説明図、図１０Ｂは１枚目の用紙が排紙ロールにより搬送される状態の説明図、図１０Ｃは１枚目の用紙が用紙反転路に搬送される状態の説明図、図１０Ｄは１枚目の用紙が用紙反転路を通過してレジロールに搬送される状態の説明図、図１０Ｅは１枚目の用紙の一面目に裏面画像が記録された状態の説明図、図１０Ｆは一面目に画像が記録された１枚目の用紙が用紙反転路に搬送される状態の説明図、図１０Ｇは一面目に画像が記録された１枚目の用紙がレジロールに搬送される状態の説明図、図１０Ｈは１枚目の用紙の二面目に表面画像が記録され且つ片面記録される２枚目の用紙が給紙された状態の説明図、図１０Ｉは２枚目の用紙に表面画像が記録され且つ両面記録される３枚目の用紙が給紙された状態の説明図である。
【図１１】図１１は図１０の続きの説明図であり、図１１Ａは３枚目の用紙が排紙ロールにより搬送される状態の説明図、図１１Ｂは３枚目の用紙が用紙反転路に搬送される状態の説明図、図１１Ｃは３枚目の用紙がレジロールに搬送される状態の説明図、図１１Ｄは３枚目の用紙の一面目に裏面画像が記録された状態の説明図、図１１Ｅは一面目に画像が記録された３枚目の用紙が用紙反転路に搬送される状態の説明図、図１１Ｆは一面目に画像が記録された３枚目の用紙がレジロールに搬送される状態の説明図、図１１Ｇは３枚目の用紙の二面目に表面画像が記録された状態の説明図である。
【符号の説明】
【００９２】
１…給紙装置、
２…画像記録装置、
３…用紙搬送装置、
Ｃ２Ｃ…トレイ指定判別手段、
Ｃ２Ｄ…トレイ収容用紙種類記憶手段、
Ｃ３Ａ…用紙搬送制御手段、
Ｃ３Ｃ…画像記録制御手段、
Ｃ４…記録枚数カウンタ、
Ｈ３…用紙反転路、
Ｈｔ…排紙トレイ、
ＰＲ…画像形成装置、
Ｑ…画像記録領域、
Ｒ１，Ｒ２，Ｒ３，Ｒ４…用紙搬送部材、
ＳＮ…排出用紙センサ、
ＹＴ１，ＹＴ２…用紙トレイ。
【図１】
2005164711.tif 000003
【図２】
2005164711.tif 000004
【図３】
2005164711.tif 000005
【図４】
2005164711.tif 000006
【図５】
2005164711.tif 000007
【図６】
2005164711.tif 000008
【図７】
2005164711.tif 000009
【図８】
2005164711.tif 000010
【図９】
2005164711.tif 000011
【図１０】
2005164711.tif 000012
【図１１】
2005164711.tif 000013